【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
被写体を撮像して画像データを取得する撮像手段と、
前記撮像手段により取得された画像データに基づいて前記被写体の画像を表示する表示手段と、
前記表示手段に表示された前記被写体の画像に重畳させて、表示位置があらかじめ決められた位置である情報表示と表示位置が移動可能な枠とを表示するように制御する表示制御手段と、を有し、
前記表示制御手段は、前記情報表示と前記枠が重複する場合、前記情報表示と前記枠との重複状態に応じて、前記情報表示と前記枠のうちどちらを優先的に表示するかを変更することを特徴とする撮像装置。
【請求項２】
前記表示制御手段は、前記枠の所定部分が前記情報表示と重複する場合、前記枠を前記情報表示より優先的に表示するように制御することを特徴とする請求項１に記載の撮像装置。
【請求項３】
前記枠は、前記表示手段に表示された画像の一部の領域を囲む矩形の枠であり、前記表示制御手段は、前記枠の少なくとも一辺の全部が前記情報表示と重複する場合、前記枠を前記情報表示より優先的に表示するように制御することを特徴とする請求項２に記載の撮像装置。
【請求項４】
前記枠は、前記表示手段に表示された画像の一部の領域を囲む矩形の枠であり、前記表示制御手段は、前記枠の少なくとも一辺の両端部が前記情報表示と重複する場合、前記枠を前記情報表示より優先的に表示するように制御することを特徴とする請求項２に記載の撮像装置。
【請求項５】
前記枠は、前記表示手段に表示された画像の一部の領域を囲む矩形のうち各辺の両端部のみを表示する枠であり、前記表示制御手段は、前記枠の少なくとも一辺の両端部が前記情報表示と重複する場合、前記枠を前記情報表示より優先的に表示するように制御することを特徴とする請求項２に記載の撮像装置。
【請求項６】
前記表示制御手段は、前記枠の全体に対する前記情報表示と重複する部分の割合が所定値以上の場合、前記枠を前記情報表示より優先的に表示するように制御することを特徴とする請求項１に記載の撮像装置。
【請求項７】
前記枠は、前記表示手段に表示された画像の一部の領域を囲む円形の枠であり、前記表示制御手段は、前記枠の円周の半分以上が前記情報表示と重複する場合、前記枠を前記情報表示より優先的に表示するように制御することを特徴とする請求項６に記載の撮像装置。
【請求項８】
前記表示制御手段は、前記枠の円周の半分以上が連続して前記情報表示と重複する場合、前記枠を前記情報表示より優先的に表示するように制御することを特徴とする請求項７に記載の撮像装置。
【請求項９】
前記撮像手段により取得された画像データに基づいて前記被写体の顔を検出する顔検出手段と、
前記顔検出手段により検出された被写体の顔から主被写体とする顔を選択する選択手段と、を有し、
前記表示制御手段は、前記顔検出手段により検出された被写体の顔を囲む前記枠を複数表示する場合、前記選択手段により選択された主被写体とする顔を囲む前記枠に対してのみ、前記情報表示との重複状態に応じて、前記情報表示と前記枠のうちどちらを優先的に表示するかを変更することを特徴とする請求項１ないし８のいずれか１項に記載の撮像装置。
【請求項１０】
前記表示制御手段は、前記情報表示と前記主被写体以外の被写体の顔を囲む前記枠が重複する場合、前記情報表示を優先的に表示するように制御することを特徴とする請求項９に記載の撮像装置。
【請求項１１】
前記表示手段に前記枠が複数表示され、前記複数表示される枠のうちの２つが互いに重複する場合、前記表示制御手段は、大きさが小さいほうの前記枠を優先的に表示するように制御することを特徴とする請求項１ないし１０のいずれか１項に記載の撮像装置。
【請求項１２】
前記表示制御手段は、前記枠の表示位置または大きさの少なくとも一方をユーザーの操作に応じて変更することを特徴とする請求項１ないし１１のいずれか１項に記載の撮像装置。
【請求項１３】
被写体を撮像して画像データを取得する撮像手段と、
前記撮像手段により取得された画像データに基づいて前記被写体の画像を表示する表示手段と、
前記表示手段に表示された前記被写体の画像に重畳させて、表示位置があらかじめ決められた位置であり前記被写体の画像を半透過させる情報表示と表示位置が移動可能な枠とを表示するように制御する表示制御手段と、を有し、
前記表示制御手段は、前記情報表示と前記枠が重複する場合に前記情報表示を前記枠より優先的に表示するように制御し、前記情報表示と前記枠との重複状態に応じて、前記情報表示が前記枠を半透過させるか否かを変更することを特徴とする撮像装置。
【請求項１４】
撮像装置の表示制御方法であって、
撮像手段により取得された画像データに基づいて被写体の画像を表示手段に表示する表示ステップと、
前記表示手段に表示された前記被写体の画像に重畳させて、表示位置があらかじめ決められた位置である情報表示と表示位置が移動可能な枠とを表示するように制御する表示制御ステップと、を有し、
前記表示制御ステップは、前記情報表示と前記枠が重複する場合、前記情報表示と前記枠との重複状態に応じて、前記情報表示と前記枠のうちどちらを優先的に表示するかを変更することを特徴とする撮像装置の表示制御方法。
【請求項１５】
撮像装置の表示制御方法であって、
撮像手段により取得された画像データに基づいて被写体の画像を表示手段に表示する表示ステップと、
前記表示手段に表示された前記被写体の画像に重畳させて、表示位置があらかじめ決められた位置であり前記被写体の画像を半透過させる情報表示と表示位置が移動可能な枠とを表示するように制御する表示制御ステップと、を有し、
前記表示制御ステップは、前記情報表示と前記枠が重複する場合に前記情報表示を前記枠より優先的に表示するように制御し、前記情報表示と前記枠との重複状態に応じて、前記情報表示が前記枠を半透過させるか否かを変更することを特徴とする撮像装置の表示制御方法。
【手続補正２】
【補正対象書類名】明細書
【補正対象項目名】０００７
【補正方法】変更
【補正の内容】
【０００７】
上記の目的を達成するために、本発明にかかる撮像装置は、被写体を撮像して画像データを取得する撮像手段と、前記撮像手段により取得された画像データに基づいて前記被写体の画像を表示する表示手段と、前記表示手段に表示された前記被写体の画像に重畳させて、表示位置があらかじめ決められた位置である情報表示と表示位置が移動可能な枠とを表示するように制御する表示制御手段と、を有し、前記表示制御手段は、前記情報表示と前記枠が重複する場合、前記情報表示と前記枠との重複状態に応じて、前記情報表示と前記枠のうちどちらを優先的に表示するかを変更することを特徴とする。
また、上記の目的を達成するために、本発明にかかる撮像装置は、被写体を撮像して画像データを取得する撮像手段と、前記撮像手段により取得された画像データに基づいて前記被写体の画像を表示する表示手段と、前記表示手段に表示された前記被写体の画像に重畳させて、表示位置があらかじめ決められた位置であり前記被写体の画像を半透過させる情報表示と表示位置が移動可能な枠とを表示するように制御する表示制御手段と、を有し、前記表示制御手段は、前記情報表示と前記枠が重複する場合に前記情報表示を前記枠より優先的に表示するように制御し、前記情報表示と前記枠との重複状態に応じて、前記情報表示が前記枠を半透過させるか否かを変更することを特徴とする。